(57)【要約】      （修正有）【課題】コネクタアセンブリに使用するためのコネクタおよび電源ソケットを提供する。【解決手段】コネクタアセンブリ８は、キャビティ部と、複数の第２電気端子と、凹部と、を有する電源ソケット１２を備える。キャビティ部は、コネクタ１０を受ける。複数の第２電気端子は、コネクタ１０がキャビティ部に受けられる際に複数の第１電気端子と接触し、電力を受ける。凹部はキャビティ部に配置されている。弾性固定部材は凹部と係合可能であり、これにより、電源ソケット１２がコネクタ１０を受ける際に、電源ソケット１２からコネクタ１０が外れることを防止する。また、弾性固定部材は凹部との係合を解除可能であり、これにより、コネクタ１０の内側方向に弾性固定部材に対して力を加えることにより、電源ソケット１２からコネクタ１０を取り外し可能である。【選択図】図４
0003151395.tif 000002
【実用新案登録請求の範囲】
【請求項１】
ハウジング部と、電力を供給するために前記ハウジング部に設置された複数の第１電気端子と、外側に配置された固定位置と内側に配置された解除位置とに移動可能であり前記固定位置方向に付勢される弾性固定部材と、を有するコネクタと、
前記コネクタを受けるように構成されたキャビティ部と、前記キャビティ部が前記コネクタを受ける際に前記複数の第１電気端子と接触し電力を受けるように構成された複数の第２電気端子と、前記キャビティに配置された凹部と、を有する電源ソケットと、を備え、
前記固定部材は、前記凹部と係合することにより、前記電源ソケットが前記コネクタを受ける際に前記コネクタが前記電源ソケットから外れることを防止し、かつ前記凹部との係合を解除可能であり、これにより、前記コネクタの内側方向に前記固定部材に対して力を加えることにより前記電源ソケットから前記コネクタを取り外し可能にする、
コネクタアセンブリ。
【請求項２】
前記固定部材は前記ハウジング部と一体形成された部分である、請求項１に記載のコネクタアセンブリ。
【請求項３】
前記固定部材は前記凹部に挿入可能な固定突起を有する、請求項２に記載のコネクタアセンブリ。
【請求項４】
前記固定部材はボタン部を有し、前記ボタン部は、押圧された場合に、前記固定突起の前記凹部との係合を解除するために前記固定突起を移動させる、請求項３に記載のコネクタアセンブリ。
【請求項５】
前記固定突起は、略平面と、傾斜面と、を有し、前記傾斜面は、前記コネクタを前記電源ソケットに挿入中に、前記固定突起を前記コネクタの内側に移動させるように付勢する働きをし、前記平面は、前記固定突起の前記凹部との係合が意図せず解除されないように、前記凹部の壁部と確実に係合する働きをする、請求項３に記載のコネクタアセンブリ。
【請求項６】
前記固定突起は、複数の固定位置を提供するために前記電源ソケットと連係するように構成された段部を有する、請求項３に記載のコネクタアセンブリ。
【請求項７】
前記固定部材の構成、および／または、前記凹部の構成が所望の固定力を規定するために選択される、請求項１から６の何れか一つに記載のコネクタアセンブリ。
【請求項８】
前記所望の固定力は、前記凹部の壁部の厚みを変化させることにより規定される、請求項７に記載のコネクタアセンブリ。
【請求項９】
ハウジング部と、電力を供給するために前記ハウジング部に設置された複数の第１電気端子と、外側に配置された固定位置と内側に配置された解除位置に移動可能であり前記固定位置に向かって付勢される弾性固定部材と、を備えるコネクタであって、
前記コネクタは電源ソケットを嵌合可能に構成され、前記電源ソケットは、キャビティ部と、複数の第２電気端子と、前記弾性固定部材が係合することにより前記電源ソケットが前記コネクタを受ける際に前記電源ソケットから前記コネクタが外れることを防止するように前記キャビティ部に配置された凹部と、を有し、
前記コネクタは、前記凹部との係合を解除可能に構成され、これにより、前記コネクタの内側方向に力を加えることにより、前記電源ソケットから前記コネクタを取り外し可能にする、
コネクタ。
【請求項１０】
前記固定部材は前記ハウジング部と一体形成された部分である、請求項９に記載のコネクタ。
【請求項１１】
前記固定部材は固定突起を有する、請求項１０に記載のコネクタ。
【請求項１２】
前記固定部材はボタン部を有し、前記ボタン部は、押圧された場合に、前記固定突起の前記凹部との係合を解除するために前記固定突起を移動させる、請求項１１に記載のコネクタ。
【請求項１３】
前記固定突起は、略平面と、傾斜面と、を有し、前記傾斜面は、前記コネクタを前記電源ソケットに挿入中に、前記固定突起を前記コネクタの内側に移動させるように付勢する働きをし、前記平面は、前記固定突起の前記凹部との係合が意図せず解除されないように、前記凹部の壁部と確実に係合する働きをする、請求項１１に記載のコネクタ。
【請求項１４】
前記固定突起は、複数の固定位置を提供するために前記電源ソケットと連係するように構成された段部を有する、請求項１１に記載のコネクタ。
【請求項１５】
キャビティ部と、使用時に電源ソケットに関連する装置への電力を受けるための複数のソケット電気端子と、前記キャビティ部に配置された凹部と、を備える電気ソケットであって、
電力を供給するための複数のコネクタ電気端子と、外側に配置された固定位置と内側に配置された解除位置に移動可能な弾性固定部材と、を有するコネクタを受けるように構成され、
前記弾性固定部材が前記凹部と係合し、これにより、前記電源ソケットが前記コネクタを受ける際に、前記コネクタが前記電源ソケットから外れることを防止するように構成されている、
電源ソケット。
【考案の詳細な説明】
【技術分野】
【０００１】
本考案は、例えば、国際規格ＩＥＣ６０３２０−１に準拠する、電力を供給するためのコネクタと、電力を受けるための電源ソケットと、を有する種類のインターロックコネクタアセンブリに関する。また、本考案は、こうしたコネクタアセンブリと共に使用するためのコネクタおよび電源ソケットに関する。
【背景技術】
【０００２】
コネクタおよび電源ソケットを有するコネクタアセンブリは、例えばパーソナルコンピュータに備えられていることが知られている。ここで、電源ソケットはパーソナルコンピュータに設置されており、パーソナルコンピュータに電力を供給するために、電源と電気的に接続するコネクタが電源ソケットに嵌合されている。
【考案の開示】
【考案が解決しようとする課題】
【０００３】
しかし、こうしたコネクタアセンブリの接続は比較的不確実であり、コネクタが不意に電源ソケットから外れることで、装置を破損させる、および／または、ユーザに怪我をさせる可能性があるという、重大な危険性が存在する。
【課題を解決するための手段】
【０００４】
本考案の一態様によるコネクタアセンブリは、以下のものを備える。
【０００５】
コネクタ；ハウジング部と、電力を供給するためにハウジング部に設置された複数の第１電気端子と、外側に配置された固定位置と内側に配置された解除位置とに移動可能であり、固定位置に向かって付勢される弾性固定部材と、を有する。
【０００６】
電源ソケット；コネクタを受けるように構成されたキャビティ部と、キャビティ部がコネクタを受ける際に複数の第１電気端子と接触し電力を受けるように構成された複数の第２電気端子と、キャビティ部に配置された凹部と、を有する。
【０００７】
そして、固定部材が凹部と係合し、これにより、電源ソケットがコネクタを受ける際にコネクタが電源ソケットから外れることを防止し、且つ、凹部との係合を解除可能であり、これにより、コネクタの内側方向に固定部材に対して力を加えることにより電源ソケットからコネクタを取り外し可能にする。
【０００８】
ある形態では、固定部材はハウジング部に一体形成された部分である。固定部材は固定突起を有してもよい。固定部材はさらにボタン部を有してもよく、ボタン部は、押圧された場合に、固定突起の凹部との係合を解除するために、固定突起に動きをもたらす。
【０００９】
固定突起は、略平面および傾斜面を有してもよい。傾斜面は、コネクタを電源ソケットに挿入中に固定突起をコネクタの内側に移動させるように付勢する働きをする。平面は、固定突起の凹部との係合が意図せず解除されないように、凹部の壁部と確実に係合する働きをする。
【００１０】
ある形態では、固定突起は複数の固定位置を提供するために電源ソケットと連係するように構成された段部を有する。
【００１１】
コネクタは、さらに、ハウジング部と、ハウジング部を覆うように配置されたコネクタ成形部と、を備えてもよい。ある形態では、コネクタは、オーバーモールディングプロセス（ｏｖｅｒ  ｍｏｕｌｄｉｎｇ  ｐｒｏｃｅｓｓ）中にハウジング部に対して固定部材を保持するように構成されたストップブロックをさらに備える。
【００１２】
本考案の第２態様によれば、ハウジング部と、電力を供給するためにハウジング部に設置された複数の第１電気端子と、外側に配置された固定位置と内側に配置された解除位置に移動可能であり固定位置に向かって付勢される弾性固定部材と、を備えるコネクタが提供される。
【００１３】
このコネクタでは、キャビティ部と、複数の第２電気端子と、弾性固定部材が係合し、これにより、電源ソケットがコネクタを受ける際に電源ソケットからコネクタが外れることを防止するようにキャビティ部に配置された凹部と、を有する電源ソケットと嵌合可能に構成され、且つ、凹部との係合を解除可能に構成され、これにより、コネクタの内側方向に力を加えることにより、電源ソケットからコネクタを取り外し可能にする。
【００１４】
本考案の第３態様による電源ソケットは、キャビティ部と、使用時に電源ソケットに関連する装置への電力を受けるための複数のソケット電気端子と、キャビティ部に配置された凹部と、を備える。
【００１５】
この電源ソケットは、電力を供給するための複数のコネクタ電気端子と、外側に配置された固定位置と内側に配置された解除位置に移動可能な弾性固定部材と、を有するコネクタを受けるように構成され、且つ、弾性固定部材が凹部と係合し、これにより、電源ソケットがコネクタを受ける際に、コネクタが電源ソケットから外れることを防止するように構成されている。
【考案を実施するための最良の形態】
【００１６】
図面を参照すると、図４は、図３に示すコネクタ１０と、図１および２に示す電源ソケット１２と、を備えるコネクタアセンブリ８を示す。
【００１７】
当然のことながら、本明細書において、「コネクタ」とは装置に電力を提供する種類のコネクタであり、電源コードと電気的に接続する。また、「電源ソケット」とは、コネクタからの電力を受ける種類の電源ソケットであり、電気装置に設置されている。この例では、コネクタ１０と電源ソケット１２が国際規格ＩＥＣ６０３２０−１に準拠しているが、当然のことながら他の種類の電源ソケットを想定してもよい。
【００１８】
電源ソケット１２は、使用中に電気装置に設置され、電気装置への電力を受ける働きをする。コネクタ１０は電源ソケット１２と嵌合可能であり、コネクタ１０が電源ソケット１２と嵌合する場合に、電源ソケット１２、ひいては、電気装置に電力を供給する働きをする。
【００１９】
コネクタ１０は、コネクタ成形部１４と、ハウジング部１６と、を備えており、図８はこれらをより具体的に示している。コネクタ成形部１４は、従来のオーバーモールディングプロセスにより、ハウジング部１６を覆うように形成されている。ハウジング部１６と電気的に接続するのは電源コード１８であり、電源コード１８は使用中にコネクタ１０に電力を供給する。
【００２０】
図８にさらに具体的に示すように、ハウジング部１６は、複数の電気端子２０と、弾性固定部材２２と、を備える。電気端子２０は、電源コード１８と電気的に接続する。弾性固定部材２２は、電源ソケット１２に対してコネクタ１０を固定する働きをする。また、弾性固定部材２２は、コネクタ１０を電源ソケット１２から選択的に固定解除を可能にする働きをし、これにより、コネクタ１０を電源ソケット１２から取り外し可能にする。弾性固定部材２２は、ボタン部２４と、固定突起２６と、を有する。ボタン部２４と固定突起２６は、ボタン部２４に力を加えることにより、コネクタ１０の内側に弾性的に移動可能である。
【００２１】
図５、６、７にさらに具体的に示すように、ハウジング部１６は、ハウジングカバー部２７と、ハウジングベース部２９と、ストップブロック３０と、を有する。ハウジングベース部２９は、複数の電気端子２０を受けるための複数のチャネル３１を有する。この例では、弾性固定部材２２はハウジングベース部２０と一体に形成されている。
【００２２】
ハウジングベース部２９とハウジングカバー部２７は、ハウジングカバー部２７をハウジングベース部２９に摺動可能に係合させることによって、ハウジングカバー部２７がハウジングベース部２９に接続可能になるように構成されている。
【００２３】
また、ハウジングベース部２９は、ストップブロック３０を受けるように構成されたレセプタクル３３を有する。ストップブロック３０がレセプタクル３３と係合し、従来のオーバーモールディングプロセス中に、成形部がハウジング部１６を覆うように配置される場合、オーバーモールディングプロセスに使用される材料がボタン部２４と固定突起２６の真下を通過することができないようになっている。
【００２４】
コネクタ１０の製造中に、複数の電気端子２０は複数のチャネル３１に配置され、ハウジングカバー部２７は、コネクタ２０を適切な位置に保持するために、ハウジングベース部２９と摺動可能に係合する。そして、レセプタクル３３がストップブロック３０を受け、従来のオーバーモールディングプロセスにより成形部がハウジング部１６を覆うように配置される。
【００２５】
また、コネクタ１０は複数のグリップ部３６を有しており、グリップ部３６により、コネクタ１０を電源ソケット１２から引き抜く場合に、ユーザがコネクタ１０を確実に保持することができる。
【００２６】
電源ソケット１２はソケット成形部４０を有している。ソケット成形部４０は、複数の一体固定孔４２と、複数の電気ピン４４と、を有する。複数の電気ピン４４は、コネクタが使用中に電源ソケット１２と嵌合する際に、コネクタ１０の複数の電気端子２０と嵌合する。このようにして、複数の電気ピン４４は、電源ソケット１２に関連する装置への電力を受ける。
【００２７】
ソケット成形部４０は、コネクタ１０を受けるように形成されたキャビティ４６を構成する。キャビティ４６には凹部４８が形成されており、凹部４８は、コネクタ１０が使用中に電源ソケット１２と嵌合する際に固定突起２６を受ける働きをし、これにより、コネクタ１０を電源ソケット１２に対して固定する。
【００２８】
コネクタ１０を電源ソケット１２に挿入する際に、固定部材２２とボタン部２４は、固定突起２６の位置が凹部４８と揃うまでコネクタ１０の内側に曲がるようになっている。この状態に至ると、ボタン部２４と固定突起２６は、固定部材２２の弾性変形によって、固定部材２２が凹部４８に係合するまでコネクタ１０の外側に曲がる。このようにして、固定突起２６と凹部４８は、コネクタ１０の電源ソケット１２との嵌合が意図せず解除されないように連係する。
【００２９】
コネクタ１０を電源ソケット１２から取り外したい場合、ユーザはボタン部２４に対して内側方向の力を加える。これにより、固定突起２６はコネクタ１０の内側に移動し、凹部４８との係合が解除される。そして、ユーザはコネクタ１０を電源ソケット１２から引き抜くことができる。
【００３０】
図９に示すように、固定突起２６は、略平面４９と、傾斜部５０とを有するように形成されている。傾斜部５０は、コネクタ１０の電源ソケット１２への挿入時に、ボタン部２４および固定突起２６をコネクタ１０の内側に移動させるように付勢させる働きをする。平面４９は、固定突起２６の凹部４８との係合が意図せず解除されないように、凹部４８の壁部と確実に係合する働きをする。
【００３１】
図１０は、代替形状の固定突起５４を有する代替固定部材５２と、関連する代替形状の凹部５６を示す。同様および類似の特性については、同様の参照番号で示す。
【００３２】
図１０に示すように、代替固定突起５４と代替凹部５６には、それぞれ段部５８が備えられており、段部５８は２つの固定位置を提供する働きをする。
【００３３】
当然のことながら、固定部材２２の構成、および／または、凹部４８の構成を所望の固定力に応じて変更してもよい。例えば、図９に示す凹部壁２５の厚みｔを変更することにより、５乃至２５ｋｇの固定力を実現してもよい。
【００３４】
当業者には明白であるが、本考案の範囲内において修正および変更がなされることが考慮されている。
【図面の簡単な説明】
【００３５】
【図１】本考案の一実施形態に係る電源ソケットに関する概略斜視図であり、当該電源ソケットは、本考案の一実施形態に係るコネクタアセンブリの一部を構成する。
【図２】図１に示す電源ソケットに関する追加の斜視図。
【図３】本考案の一実施形態に係るコネクタに関する概略斜視図であり、当該コネクタは本考案の一実施形態に係るコネクタアセンブリの一部を構成する。
【図４】本考案の一実施形態に係るコネクタアセンブリに関する概略斜視図であり、当該コネクタアセンブリは、図３に示すコネクタと、図１および２に示す電源ソケットと、を有する。
【図５】図３に示すコネクタのハウジングカバー部に関する概略斜視図。
【図６】図３に示すコネクタのハウジングベース部に関する概略斜視図。
【図７】図３に示すコネクタのストップブロックに関する概略斜視図。
【図８】図４に示すコネクタアセンブリに関する概略断面図。
【図９】図８に示すコネクタアセンブリの一部に関する概略拡大図。
【図１０】図９に示す拡大図に相当するが、代替接続機構を有する概略拡大断面図。
【図１】
0003151395.tif 000003
【図２】
0003151395.tif 000004
【図３】
0003151395.tif 000005
【図４】
0003151395.tif 000006
【図５】
0003151395.tif 000007
【図６】
0003151395.tif 000008
【図７】
0003151395.tif 000009
【図８】
0003151395.tif 000010
【図９】
0003151395.tif 000011
【図１０】
0003151395.tif 000012